(57)【要約】  スクリーンの中央部においてゆがみが発生しない、平面性が高いスクリーンを得ることができる。  斜めから入射する投射光を正面に反射する複数の傾斜部以外の厚みｔ１は、傾斜部の厚みｔ２の２倍以下である。また、幅を略１５５０ｍｍ、高さを略９００ｍｍとし、鉛直下向きの引き下げ荷重が略３ｋｇとなるように反射型スクリーンを吊り下げた場合に、反射型スクリーンの中央を含み、反射型スクリーンの端部を含まない第１の領域においては、入射角度が略１５度で反射型スクリーンの略中央を通る基準線を投影した場合と、入射角度が略６０度で基準線を投影した場合とで、反射型スクリーンに表示される画像にずれが発生しない。
2016084211.tif 000002
【特許請求の範囲】
【請求項１】
斜めから入射する投射光を正面に反射する複数の傾斜部が形成された第１の面を備えたシート状の反射型スクリーンであって、  前記傾斜部以外の厚みｔ１は、前記傾斜部の厚みｔ２の２倍以下であることを特徴とする反射型スクリーン。
【請求項２】
斜めから入射する投射光を正面に反射する複数の傾斜部が形成された第１の面を備えたシート状の反射型スクリーンであって、  前記反射型スクリーンの幅を略１５５０ｍｍ、高さを略９００ｍｍとし、鉛直下向きの引き下げ荷重が略３ｋｇとなるように前記反射型スクリーンを吊り下げた場合に、前記反射型スクリーンの中央を含み、前記反射型スクリーンの端部を含まない第１の領域においては、入射角度が略１５度で前記反射型スクリーンの略中央を通る基準線を前記第１の面に投影した場合と、入射角度が略６３度で前記基準線を前記第１の面に投影した場合とで、前記反射型スクリーンに表示される画像にずれが発生しない  ことを特徴とする反射型スクリーン。
【請求項３】
請求項１に記載の反射型スクリーンであって、  前記厚みｔ１は、前記厚みｔ２以下であることを特徴とする反射型スクリーン。
【請求項４】
請求項１又は２に記載の反射型スクリーンであって、  前記第１の面と反対側の面である第２の面全面に凹凸が形成されることを特徴とする反射型スクリーン。
【請求項５】
請求項４に記載の反射型スクリーンであって、  表面粗さＲａが０．１０以上程度であり、入射角が６０度の場合における表面光沢度が２０％以下程度となるように前記第２の面の全面に表面処理をすることで、前記第２の面全体に前記凹凸を形成することを特徴とする反射型スクリーン。
【請求項６】
請求項５に記載の反射型スクリーンであって、  前記凹凸のうちの、前記反射型スクリーンの中央と、対向する２つの辺を含む第２の領域に形成される凹凸は、前記反射型スクリーンの前記第２の領域以外の領域である第３の領域に形成される凹凸よりも粗いことを特徴とする反射型スクリーン。
【請求項７】
請求項４に記載の反射型スクリーンであって、  複数の線を含む模様を描くようにインクを塗布することで、前記第２の面全体に前記凹凸を形成することを特徴とする反射型スクリーン。
【請求項８】
請求項７に記載の反射型スクリーンであって、  前記複数の線のうちの、前記反射型スクリーンの中央と、対向する２つの辺を含む第２の領域に形成される線の間隔を、前記反射型スクリーンの前記第２の領域以外の領域である第３の領域に形成される線の間隔より広くすることを特徴とする反射型スクリーン。
【発明の詳細な説明】
【技術分野】
【０００１】  本発明は、反射型スクリーンに関する。
【背景技術】
【０００２】  特許文献１には、斜めから投射されるプロジェクタの光を正面に反射する反射型スクリーンであって、光を吸収する材料からなり、プロジェクタからの光が入射する向きで設けられている投射側傾斜面と、プロジェクタの光が入射しない向きで設けられている非投射側傾斜面とが交互に繰り返し配置されることによって、鋸歯形状をなしている基材と、基材の前記投射側傾斜面上に形成され、光を反射する白色樹脂層と、透明バインダー樹脂及び拡散剤を含み、白色樹脂層を覆って形成されている透明拡散層と、を備え、白色樹脂層及び非投射側傾斜面には粗面化処理が施されており、白色樹脂層はプロジェクタの光を正面に反射し、非投射側傾斜面は外光の大部分を吸収し、透明拡散層は前記白色樹脂層及び非投射側傾斜面が反射する光を拡散する反射型スクリーンが開示されている。
【先行技術文献】
【特許文献】
【０００３】
【特許文献１】特開２００６−２３６９３号公報
【発明の概要】
【発明が解決しようとする課題】
【０００４】  特許文献１に記載の発明では、スクリーン展開時にスクリーン材料に掛かる張力が不均一であるため、スクリーン表面にゆがみが発生して平面性が悪くなり、投射時に映像が歪んでしまうという課題がある。特に、短焦点プロジェクタを使用する場合には、スクリーンへの入射角度が大きいため、スクリーン表面に発生したゆがみによって、映像のゆがみが大きく視認されてしまう。【０００５】  本発明はこのような事情に鑑みてなされたもので、平面性が高い反射型スクリーンを提供することを目的とする。
【課題を解決するための手段】
【０００６】  上記課題を解決するために、本発明に係る反射型スクリーンは、例えば、斜めから入射する投射光を正面に反射する複数の傾斜部が形成された第１の面を備えたシート状の反射型スクリーンであって、前記傾斜部以外の厚みｔ１は、前記傾斜部の厚みｔ２の２倍以下であることを特徴とする。
【発明の効果】
【０００７】  本発明によれば、平面性が高いスクリーンを得ることができる。
【図面の簡単な説明】
【０００８】
【図１】本発明の一例である反射型スクリーンの概略を示す側面図である。
【図２】反射型スクリーンの概略を示す正面図である。
【図３】スクリーンをｙ方向に沿った面で切断したときの断面図である。
【図４】裏面に印刷されたリブの形状を説明する図である。
【図５】実験用スクリーンを示す概略図である。
【図６】白色平板と、長焦点プロジェクタ及び短焦点プロジェクタとの位置関係を示す図である。
【図７】スクリーンにおける測定点１、測定点２、測定点３、測定点４、測定点５の位置を示す図である。
【図８】ループスティフネス値を測定する様子を示す模式図である。
【図９】変形例に係るスクリーンの裏面に形成された格子状のリブを示す図である。
【図１０】変形例に係るスクリーンの裏面に形成されるリブを示す図であって、スクリーンと、スカートとの接続部分を含む領域Ａ３に形成される格子の大きさを、領域Ａ３以外の領域Ａ４に形成される格子の大きさより小さくする形態を示す図である。
【図１１】変形例に係るスクリーンの裏面に形成されるリブを示す図であって、スクリーンのトップバー４１が設けられる部分を含む領域Ａ５に形成される格子の大きさを、領域Ａ５以外の領域Ａ６に形成される格子の大きさより小さくする形態を示す図である。
【図１２】従来の反射型スクリーンの概略を示す図である。
【図１３】図１２のＺ−Ｚ断面図である。
【図１４】長焦点プロジェクタを用いて従来の反射型スクリーンに映像を投射する場合と、短焦点プロジェクタを用いて従来の反射型スクリーンに映像を投射する場合とを示す図である。
【図１５】従来の反射型スクリーンが凹んでいる場合に、長焦点プロジェクタから投射される光がどのように反射されるかを示す模式図である。
【図１６】従来の反射型スクリーンが凹んでいる場合に、短焦点プロジェクタから投射される光がどのように反射されるかを示す模式図である。
【図１７】反射型スクリーンが水平方向に歪んでいる場合を示す図である。
【図１８】水平方向に歪んでいる反射型スクリーンに、格子模様の映像を短焦点プロジェクタから投射した結果を示す図である。
【図１９】反射型スクリーンが垂直方向に歪んでいる場合を示す図である。
【図２０】垂直方向に歪んでいる反射型スクリーンに、格子模様の映像を短焦点プロジェクタから投射した結果を示す図である。
【発明を実施するための形態】
【０００９】  まず、短焦点プロジェクタを用いて反射型スクリーンに映像を投射する時に、反射型スクリーン表面に発生したゆがみにより映像のゆがみが大きく視認されてしまう原理について説明する。
【００１０】  図１２、図１３に示すような、略長方形の反射型スクリーン１００を用意する。図１３は、図１２のＺ−Ｚ断面図である。スクリーン１００は、鋸歯形状のプリズムが形成されたシート１０１と、シート１０１の裏面に設けられた基材１０２と、を有するシート状の部材である。シート１０１は、例えばウレタン樹脂シートであり、基材１０２は、例えばＰＥＴフィルムである。
【００１１】  図１４は、通常の焦点距離のプロジェクタ１１０（以下、長焦点プロジェクタ１１０という）を用いて反射型スクリーン１００に映像を投射する場合と、短焦点プロジェクタ１２０を用いて反射型スクリーン１００に映像を投射する場合とを図示したものである。図１４に示すように、シート１０１が略鉛直方向となるように反射型スクリーン１００を設置し、前方からプロジェクタを用いてシート１０１に映像を投射する。シート１０１は、短焦点プロジェクタ１２０からの光が入射する側に設けられており、基材１０２は、シート１０１とは反対側に設けられている。
【００１２】  長焦点プロジェクタ１１０は、反射型スクリーン１００との距離Ｌ１が略２５００ｍｍ、投射角度θ１が略１５度となるように反射型スクリーン１００の前方に設置される。また、短焦点プロジェクタ１２０は、反射型スクリーン１００との距離Ｌ２が略２５０ｍｍ、投射角度θ２が略６０から７０度となるように反射型スクリーン１００の前方に設置される。
【００１３】  図１５は、シート１０１が凹んでいる（反射型スクリーン１００が、長焦点プロジェクタ１１０が設けられている側と反対側に突出している）場合に、長焦点プロジェクタ１１０から投射される光がどのように反射されるかを示す模式図である。
【００１４】  投射光Ｒ１、Ｒ２、Ｒ３は、長焦点プロジェクタ１１０から照射され、シート１０１で反射し（図１５実線矢印参照）、前方に反射される（図１５点線矢印参照）。投射光Ｒ２は、シート１０１の凹部における点Ｘａで反射光Ｒ２Ｘとして反射される。しかしながら、長焦点プロジェクタ１１０からの投射角度θ１は略１５度と小さいため、反射型スクリーン１００が歪んでいない場合におけるシート１０１上の点Ｙａで反射したときの反射光Ｒ２Ｙと、反射光Ｒ２Ｘとのｙ方向のズレは小さい。
【００１５】  図１６は、図１５と同様にシート１０１が凹んでいる場合に、短焦点プロジェクタ１２０から投射される光がどのように反射されるかを示す模式図である。
【００１６】  投射光Ｒ４、Ｒ５、Ｒ６は、短焦点プロジェクタ１２０から照射され、シート１０１で反射し（図１６実線矢印参照）、前方に反射される（図１６点線矢印参照）。投射光Ｒ５は、シート１０１の凹部における点Ｘｂで反射光Ｒ５Ｘとして反射される。しかしながら、短焦点プロジェクタ１２０からの投射角度θ２は略６０から７０度と大きいため、反射型スクリーン１００が歪んでいない場合におけるシート１０１上の点Ｙｂで反射したときの反射光Ｒ５Ｙと、反射光Ｒ５Ｘとのｙ方向のズレ量は、反射光Ｒ２Ｙと反射光Ｒ２Ｘとのｙ方向のズレ量に比べてかなり大きい。
【００１７】  このように、短焦点プロジェクタ１２０から反射型スクリーン１００に映像を投射する場合には、反射型スクリーン１００に発生したゆがみにより、反射光の位置がずれることにより、映像のゆがみが大きく視認されてしまう。
【００１８】  図１７は、反射型スクリーン１００が水平方向に歪んでいる場合を示す図である。反射型スクリーン１００が水平方向に歪んでいる場合とは、ｘ方向に沿って反射型スクリーン１００を切ったときに反射型スクリーン１００が波打っている状態をいう。図１７は、反射型スクリーン１００を＋ｙ方向から見た状態を示す。なお、図１７において、点線は、反射型スクリーン１００が歪んでいない場合の反射型スクリーン１００の位置を示す。また、図１７において、２点鎖線は、投射光及び反射光の一部を模式的に示したものである。
【００１９】  反射型スクリーン１００が水平方向に歪んでいる場合は、例えば、反射型スクリーン１００のｘ方向両端近傍が後方に凹み、端部が前方に突出している。また、反射型スクリーン１００のｘ方向中央近傍が前方に突出している。
【００２０】  図１８は、図１７に示すような水平方向に歪んでいる反射型スクリーン１００に、格子模様の映像を短焦点プロジェクタ１２０から投射した結果を示す図である。図１８における点線は、長焦点プロジェクタ１１０から投射された場合の格子模様を示している。
【００２１】  反射型スクリーン１００が後方に凹んでいる部分については、本来投影画像が表示される位置より上側に投影画像が表示される（図１６参照）。また、反射型スクリーン１００の前方に突出している部分については、本来投影画像が表示される位置より下側に投影画像が表示される。その結果、図１７に示すような水平方向に歪んでいる反射型スクリーン１００に、横４コマ、縦３コマの格子模様の映像を短焦点プロジェクタ１２０から投射すると、格子模様の横線（ｘ方向に沿った線）が、両端近傍が上側に、中央が下側に歪んだ線として視認される。
【００２２】  また、図１４に示すように、短焦点プロジェクタ１２０は反射型スクリーン１００の斜め下に設けられているため、反射型スクリーン１００の下端（−ｙ側）１０３よりも、反射型スクリーン１００の上端（＋ｙ側）１０４のほうが、投射光の出射角が大きくなる。その結果、反射型スクリーン１００の上端に近くなればなるほど、線のゆがみが大きくなる。
【００２３】  図１９は、反射型スクリーン１００が垂直方向に歪んでいる場合を示す図である。反射型スクリーン１００が垂直方向に歪んでいる場合とは、ｙ方向に沿って反射型スクリーン１００を切ったときに反射型スクリーン１００が波打っている状態をいう。図１９は、反射型スクリーン１００を−ｘ側から見た状態を示す。なお、図１９において、点線は、反射型スクリーン１００が歪んでいない場合の反射型スクリーン１００の位置を示す。また、図１９において、２点鎖線は、投射光及び反射光の一部を模式的に示す。
【００２４】  反射型スクリーン１００が垂直方向に歪んでいる場合は、例えば、反射型スクリーン１００のｙ方向両端近傍が前方に凹み、端部が後方に突出している。また、反射型スクリーン１００のｙ方向中央近傍が後方に突出している。
【００２５】  図２０は、垂直方向に歪んでいる反射型スクリーン１００に、格子模様の映像を短焦点プロジェクタ１２０から投射した結果を示す図である。図２０における点線は、図１８と同様に、長焦点プロジェクタ１１０から投射された場合の格子模様を示したものである。
【００２６】  すでに説明したように、反射型スクリーン１００が後方に凹んでいる部分については、本来投影画像が表示される位置より上側に投影画像が表示される。また、反射型スクリーン１００の前方に突出している部分については、本来投影画像が表示される位置より下側に投影画像が表示される。その結果、図１９に示すような垂直方向に歪んでいる反射型スクリーン１００に、横４コマ、縦３コマの格子模様の映像を短焦点プロジェクタ１２０から投射すると、格子模様の縦線（ｙ方向に沿った線）が、両端近傍が外側に、中央が内側に歪んだ線として視認される。
【００２７】  図２０についてＸ方向における短焦点プロジェクタ１２０の位置は、反射型スクリーン１００略中央であるため、反射型スクリーン１００のｘ方向中央近傍よりも、反射型スクリーン１００の＋ｘ方向及び−ｘ方向の両端近傍のほうが、投射光の入射角が大きくなる。その結果、反射型スクリーン１００の＋ｘ方向及び−ｘ方向の両端に近くなればなるほど、線のゆがみが大きくなる。また、図１８に示す場合と同様に、反射型スクリーン１００の上端に近くなればなるほど、線のゆがみが大きくなる。
【００２８】  このように、特に短焦点プロジェクタを使用する場合には、スクリーンに発生したゆがみによって、映像のゆがみが大きく視認されてしまうため、スクリーンにゆがみが発生しにくくする必要がある。
【００２９】  以下、本発明の実施形態を、図面を参照して詳細に説明する。図１は、反射型スクリーン１の概略を示す側面図である。図１には、プロジェクタ１２０も示されている。本実施の形態では、反射型スクリーン１は、短焦点プロジェクタ１２０から照射された光を正面に反射するように形成されている。
【００３０】  図２は、反射型スクリーン１の概略を示す正面図である。反射型スクリーン１は、スクリーン１０、スカート２０、ベース３０、ポール４０、およびトップバー４１を有する。
【００３１】  スクリーン１０は、高い弾性率を有する樹脂を用いて成形される。具体的には、高い弾性率を有する樹脂は、引張り強度が４０ＭＰａ程度であって、引張り伸度が５５０％程度の機械的物性を有する樹脂であり、ポリスチレン、ポリオレフィン、塩化ビニル、ポリウレタン、アミド系エラストマーを単独又は２種類以上組み合わせた樹脂からなる。さらに、スクリーン１０には、光を吸収する材料も含む。具体的には、カーボンブラック、ペリレンブラックなどの顔料などを用いることができる。スクリーン１０は、可撓性を有するシート状である。スクリーン１０の構成については後述する。
【００３２】  スカート２０は、スクリーン１０の材料物性（機械的特性など）と近い材料で構成されるのであれば、特に制限はない。例えば、スカート２０の材料は、ポリスチレン、ポリオレフィン、塩化ビニル、ポリウレタン、アミド系エラストマーを単独又は２種類以上組み合わせた樹脂を用いることができる。スカート２０は、スクリーン１０の下端に接着される。
【００３３】  ベース３０は、スクリーン１０を収納するケースである。内部にはスクリーン１０を巻回するための軸とスプリング（図示せず）が設けられており、スプリングはスクリーン１０を軸に巻き取る方向の力を軸に付勢する。
【００３４】  ポール４０は、伸縮自在なポールであり、ベース３０に設けられている。スクリーン１０を展開する際に、スクリーン１０の上端をスプリングの付勢力に抗して引き上げ、伸ばしたポール４０の先端にスクリーン１０を掛けることにより、スクリーン１０が展開された状態となる。
【００３５】  トップバー４１は、スクリーン１０の上端に設けられており、スクリーン１０をｙ方向に展開する際にスクリーン１０の幅方向（すなわちx方向）を均等に引き上げるものである。トップバー４１の材質は、金属（例えばアルミニウムなど）、プラスチック（例えば、ポリスチレン、ポリエチレンなど）、木材などを用いることができる。剛性の観点から、アルミニウムを用いることが好ましい。トップバー４１の断面形状は円形状からなり、これに限定されない。
【００３６】  図３は、スクリーン１０をｙ方向に沿った面で切断したときの断面図である。スクリーン１０は、主として、複数の傾斜部を有する投影面１１（第１の面に相当）と、投影面と反対側の面である裏面１２（第２の面に相当）と、を有する。
【００３７】  スクリーン１０の投影面１１側には、投射側傾斜面１３及び非投射側傾斜面１４が形成される。投射側傾斜面１３は、短焦点プロジェクタ１２０からの光が入射する向きで設けられており、非投射側傾斜面１４は、短焦点プロジェクタ１２０の光が入射しない向きで設けられている。投射側傾斜面１３及び非投射側傾斜面１４は、垂直方向（ｙ方向）に交互に繰り返し配置されることによって、鋸歯形状のプリズムを形成する。
【００３８】  投射側傾斜面１３には、白色樹脂層１５が設けられる。白色樹脂層１５は、短焦点プロジェクタ１２０の光を正面、すなわち観察者Ｐ側に反射する。一方、非投射側傾斜面１４は外光の大部分を吸収する。なお、本実施形態の説明において「反射」とは「正反射」及び「拡散反射」を含む。
【００３９】  白色樹脂層１５は、光を反射するフィラーと、バインダー樹脂とを有する。白色樹脂層１５に含まれるフィラーは、投射された映像光を反射するフィラー、具体的には、シリカ、酸化チタン、雲母、硫酸バリウム、塩化バリウム、及びアルミニウムなどである。白色樹脂層１５を形成するバインダー樹脂は、熱可塑性樹脂、紫外線硬化性樹脂、熱硬化性樹脂など、具体的には、ウレタン系樹脂、塩化ビニル系樹脂、ポリオレフィン系樹脂、ポリエステル系樹脂などである。これら樹脂は単独で使用をしたり、併用したりすることができる。バインダー樹脂は、投射側傾斜面１３との密着性の観点からウレタン系樹脂を用いることが好ましい。なお、白色樹脂層１５は、フィラー及びバインダー樹脂の他に、硬化剤、帯電防止剤、防汚処理剤、バインダー樹脂の劣化を防ぐ紫外線吸収剤などを含んでもよい。
【００４０】  白色樹脂層１５を投射側傾斜面１３に塗布することで、投射側傾斜面１３へ短焦点プロジェクタ１２０から投射された映像光を効率良く反射し、スクリーン１０のコントラストを向上させることができる。これにより、映像光を拡散反射し、十分な視野角を得ることができる。なお、白色樹脂層１５の表面はマット状若しくは梨地状にしても良い。
【００４１】  投射側傾斜面１３及び非投射側傾斜面１４は垂直方向（ｙ方向）に交互に並設されている。具体的には、投射側傾斜面１３は、プリズムの下側（すなわち−ｙ方向）の面に設けられ、非投射側傾斜面１４はプリズムの上側（すなわち＋ｙ方向）の面に設けられている。従って、スクリーン１０の前方かつ前下方位置に短焦点プロジェクタ１２０を設置すると、正面から映像光が鑑賞可能となる。
【００４２】  投射側傾斜面１３とスクリーン基準面１６とがなす角度αは、短焦点プロジェクタ１２０から出射される映像光の水平方向に対する角度β（以下、入射角度という。図１参照）から求めることができ、β＝２αの関係式が成立する。また、入射角度βは、短焦点プロジェクタ１２０とスクリーン１０との距離Ｌと、スクリーン面上に映像光が入射した垂直方向の位置（以下、高さという。）により変化する。
【００４３】  本実施の形態では、短焦点プロジェクタ１２０とスクリーン１０との距離Ｌが多少変化しても、正面から見た輝度の均一性が損なわれることがなく、明るい映像を表示できるように、角度αは、映像光がスクリーン１０の中心線上の位置に入射する際の入射角度βｃ（図１参照）に基づいて一意に決定する。つまり、角度αが、入射角度βｃの映像光をスクリーンの正面に反射する角度βｃ／２となるように、全てのプリズムを形成する。なお、入射光を正面に反射させるためにはα＝βｃ／２が理想であるが、角度αは、観察者の位置、コントラストを考慮して適宜変更することができる。
【００４４】  スクリーン１０の裏面１２には、凹凸が複数形成される。凹凸により、スクリーン１０の巻き取り時にスクリーン１０の投影面１１と裏面１２とが密着して離れなくなるブロッキングが防止される。
【００４５】  例えば、シボ等を形成することで、凹凸を形成してもよいし、インク等を塗布（例えば、交差する複数の線を印刷）することで凹凸を形成してもよい。具体的な実施例については、後に詳述する。
【００４６】  スクリーン基準面１６と裏面１２との間の厚みはｔ１であり、スクリーン基準面１６と投影面１１の先端との間の厚みはｔ２である。スクリーン１０の断面を光学顕微鏡（キーエンス社製  デジタルマイクロスコープ  ＶＨＸ−５００）により確認して、厚みの測定を行った。具体的な実施例については、後に詳述する。
【００４７】  本実施形態におけるスクリーン１０の製造方法について説明する。まず、片面に離型処理が施されたフィルム状（例えば、１２５μｍ（マイクロメートル））のＰＥＴ（ポリエチレンテレフタラート）フィルムに加熱して溶解させたウレタン樹脂を、コーターを用いて、冷却後の厚みが所定の厚み（例えば、２５０μｍ）となるように塗布し、ウレタン樹脂シートを形成する。次に、ウレタン樹脂シートを再度２００℃程度まで加熱し、柔らかくなったウレタン樹脂面をプリズムの形状を有する型に押圧して、その状態で冷却する。
【００４８】  次に型からウレタン樹脂シートをはがし、白色樹脂層１５を形成する。白色樹脂層１５は、例えば、有機溶剤で溶解したウレタン樹脂にシリカを加えて混合した樹脂組成物を、投射側傾斜面１３にリバースコーターにより塗布し、１００℃×２分で加熱乾燥させることによって形成することができる。なお、樹脂組成物はリバースコーターの他、コンマコーター、グラビアコーター、ワイヤーバーコーター等により塗布しても良い。
【００４９】  その後、ウレタン樹脂シートからＰＥＴフィルムを剥がすことでスクリーン１０を得た。ここでＰＥＴフィルムの面に凹凸が形成されているフィルムを用いても良い。このＰＥＴフィルムを用いてウレタン樹脂シートを作製した場合はＰＥＴフィルム表面の凹凸がウレタン樹脂シートに転写成形される。すなわち、ウレタン樹脂シートのプリズムが形成された面（第１の面に相当）とは反対側の面（第２の面に相当）に凹凸が形成される。
【００５０】  これにより、工程を増やすことなく、凹凸を形成する表面処理が可能となる。また、この凹凸を形成する表面処理により、ウレタン樹脂シートをベース３０に巻回して格納した際に、ウレタン樹脂シート、すなわちスクリーン１０同士のブロッキングを防止することができる。凹凸の大きさは、ブロッキング防止の観点より、表面粗さＲａ（ＪＩＳ  Ｂ  ０６０１−２００１における算術平均粗さ）が０．１０（望ましくは０．３〜０．５）以上であり、入射角が６０度の場合（６０°入射）における表面光沢度（ＪＩＳ  Ｚ  ８７４１におけるＧｓ（６０°））が２０％（望ましくは１０％）以下程度である。表面光沢度Ｇｓ（６０°）は、村上色彩技術研究所製の光沢計ＧＭＸ−２０３を用いて測定する。なお、凹凸を形成する表面処理は、転写成形に限定されず、例えばサンドブラスト等も含まれる。
【００５１】  さらに、第２の面にインクを塗布して凹凸を形成しても良い。具体的には、ＰＥＴフィルムを剥がした後のウレタン樹脂シートの第２の面に対して印刷を行う。本実施の形態では、第２の面に格子状のリブを印刷することによって、第２の面に凹凸を形成する。印刷方法は、例えばインクジェット印刷、スクリーン印刷を用いることができる。
【００５２】  印刷の模様は、特に制限はないが、格子状の模様以外にも市松模様など意匠性のある模様を採用することができる。これにより、第２の面に印刷したインクによりウレタン樹脂シートの強度が上がる。印刷の模様については、後に詳述する。
【００５３】  また、インクの色、材質等も任意に設定することができる。ウレタン樹脂シートの強度は、印刷密度を上げること、すなわちインクを厚めに塗布することで凹凸の形状を調整することができる。これにより、スクリーン１０同士のブロッキングを防いだり、スクリーン１０の平面性を良好にしたりすることができる。詳細は後述する。なお、ＰＥＴフィルムの表面の凹凸による転写成形を行ったウレタン樹脂シートの凹凸の上に、印刷による凹凸をさらに形成してもよい。
【実施例】
【００５４】  次に、本発明の実施形態を比較例と共に説明する。なお、本発明は、以下の実施形態に限定されるものではない。【００５５】＜実施例１＞  実施例１のスクリーン１０は上述したスクリーン１０の製造方法により作製した。実施例１のスクリーン１０の厚みは、厚みｔ１が１００μｍ、厚みｔ２が２００μｍであった。また、ウレタン樹脂シートのプリズムが形成された面（第１の面に相当）とは反対側の面（第２の面に相当）には、印刷による凹凸はなく、転写成形による凹凸を有する。実施例１におけるｔ１とｔ２の関係は、厚み測定の結果、ｔ１はｔ２の略半分、すなわちｔ１＝ｔ２／２であった。【００５６】＜実施例２＞  実施例１と実施例２との違いは、リブの印刷の有無であり、その他は同一である。実施例２は、実施例１と同様の方法によりウレタン樹脂シートを作製し、次にＰＥＴフィルムを剥がした裏面１２（第２の面に相当）にリブを印刷してスクリーン１０を得た。実施例２のスクリーン１０の厚みは、厚みｔ１が１１０μｍ、厚みｔ２が２００μｍであった。【００５７】  図４は、印刷されたリブの形状を説明する図である。リブ１７は、ｘ方向に沿ったリブ１７ａと、ｙ方向に沿ったリブ１７ｂとを有する。リブ１７ａ及びリブ１７ａがそれぞれ複数形成されることで格子模様を形成する。リブ１７は、裏面１２全体に形成される。【００５８】  インク（格子、すなわちリブ１７）の高さ（裏面１２からの突出量）は、マイクロメーター（ミツトヨ社製）で測定したところ略１０μｍであった。また、隣接するリブ１７間の距離は、略１．０ｍｍであった。【００５９】＜実施例３＞  実施例３と実施例１との違いは、ｔ１の厚みが異なることであり、他の構成は同一である。実施例３のスクリーン１０の厚みは、厚みｔ１が１５０μｍ、厚みｔ２が２００μｍであった。実施例３におけるｔ１とｔ２の関係は、ｔ１はｔ２の略３／４、すなわちｔ１＝ｔ２×３／４であった。【００６０】＜実施例４＞  実施例４と実施例３との違いは、リブの印刷の有無であり、その他の構成は同一である。実施例４のスクリーン１０の厚みは、厚みｔ１が１６０μｍ、厚みｔ２が２００μｍであった。ウレタン樹脂シートを形成し、ＰＥＴフィルムを剥がした面（裏面１２）にリブ１７を印刷してスクリーン１０を作製した。実施例４において裏面１２に印刷されるリブ１７は、実施例２と同様、高さが略１０μｍ、隣接するリブ１７間の距離は略１．０ｍｍの大きさであった。【００６１】＜実施例５＞  実施例５と実施例４との違いは、ｔ１の厚みが異なることであり、他の構成は同一である。実施例５のスクリーン１０の厚みは、厚みｔ１及び厚みｔ２が共に２００μｍであった。実施例５におけるｔ１とｔ２の関係は、ｔ１とｔ２の厚みが略同一、すなわちｔ１＝ｔ２であった。【００６２】＜実施例６＞  実施例６と実施例５との違いは、ｔ１の厚みが異なることであり、他の構成は同一である。実施例６のスクリーン１０の厚みは、厚みｔ１が４００μｍ、厚みｔ２が２００μｍであった。実施例６では、ｔ１はｔ２の略２倍、すなわちｔ１＝ｔ２×２であった。【００６３】＜比較例１＞  比較例１と実施例６との違いは、ｔ１の厚みが異なることであり、他の構成は同一である。比較例１のス���リーン１０の厚みは、厚みｔ１が４５０μｍ、厚みｔ２が２００μｍであった。比較例１では、ｔ１はｔ２の略２．２５倍であった。【００６４】＜比較例２＞  比較例２は、厚みが１２５μｍのＰＥＴフィルムに厚みｔ１が１５０μｍ、厚みｔ２が２００μｍとなるようにウレタン樹脂シートを形成し、この構成をスクリーン１０とした。比較例２の総厚さは、４７５μｍであった。【００６５】  このような実施例１〜６、比較例１、２のスクリーンに対して、ゆがみの測定、ループスティフネスの測定の２種類の測定試験を行った。【００６６】＜ゆがみの測定＞  ゆがみの測定は、以下のようにして行った。【００６７】  まず、実験用スクリーンを準備する。図５は、実験用スクリーン５０を示す概略図である。実施例１〜６及び比較例１、２のスクリーン１０を１５５０ｍｍ×９００ｍｍ（７０Ｗサイズスクリーン相当）の大きさで切断し、切断後のスクリーン（以下、スクリーン５１という）の上下に棒材５２、５３（例えば、丸パイプ）を取り付けた。スクリーン５１の上端に取り付けられた棒材５２をスタンド５４に取り付け、スクリーン５１の下端に取り付けられた棒材５３に略３ｋｇの重りを取り付けた。具体的には、棒材５３の両端から略１００ｍｍの位置に、それぞれ略１．５ｋｇの重りを取り付けた。【００６８】  次に、プロジェクタの設置を行った。本実験では、長焦点プロジェクタ１１０としてＡｃｅｒ社製Ｈ５３５０を使用し、短焦点プロジェクタ１２０としてＳＡＮＹＯ社製ＰＤＧ−ＤＷＬ２５００を使用した。【００６９】  プロジェクタの設置は、スクリーン５１に映像を投影する前に行った。長焦点プロジェクタ１１０、短焦点プロジェクタ１２０のそれぞれを用いて、基準線を白色平板５５（図６参照）に投影し、白色平板に投影された基準線が一致するように長焦点プロジェクタ１１０及び短焦点プロジェクタ１２０の距離、角度等を調整した。【００７０】  本実験では、図６に示すように、白色平板５５から長焦点プロジェクタ１１０までの投射距離Ｌａは略２７５０ｍｍであり、白色平板５５から短焦点プロジェクタ１２０までの投射距離Ｌｂは略２５０ｍｍであった。また、スクリーン５１の中心において、長焦点プロジェクタ１１０の入射角度βａは略１５度であり、短焦点プロジェクタ１２０の入射角度βｂは略６３度であった。【００７１】  プロジェクタの設置を行った後に、白色平板５５の位置に実験用スクリーン５０を置いた。そして、スクリーン５１に、短焦点プロジェクタ１２０と長焦点プロジェクタ１１０により測定パターンを投影し、所定の位置（以下、測定点という）における投影線のズレ量を測定した。ズレ量は、長焦点プロジェクタ１１０によりスクリーン５１に映し出される基準線の位置に対して、短焦点プロジェクタ１２０によりスクリーン５１表面に映し出される基準線の位置のズレを、定規を用いて測定した。【００７２】  測定点は、長焦点プロジェクタ１１０によりスクリーン５１に映し出される基準線ＣＬ上に設定した。図７は、測定点１、測定点２、測定点３、測定点４、測定点５の位置を示す図である。基準線ＣＬは、スクリーン５１の下端又はスクリーン５１の上端からそれぞれ４５０ｍｍの距離に位置している。すなわち基準線Ｃ���は、スクリーンの高さ方向（ｙ方向）に対して略中央に位置する線である。【００７３】  スクリーン５１の幅ｗは１５００ｍｍである。測定点１は、スクリーン５１の左側端部から水平かつ中央（＋ｘ方向）に向かって２５８ｍｍの位置にあり（ｗ１＝２５８ｍｍ）、測定点２は測定点１から水平かつ中央（＋ｘ方向）に向かって２５８ｍｍ（＝ｗ１）に位置する。同様に、測定点３は測定点２から＋ｘ方向に向かって２５８ｍｍ（＝ｗ１）に位置し、測定点４は測定点３から＋ｘ方向に向かって２５８ｍｍ（＝ｗ１）に位置し、測定点５は測定点４から＋ｘ方向に向かって２５８ｍｍ（＝ｗ１）に位置する。【００７４】＜ループスティフネスの測定＞  ループスティフネスの測定で用いる試験片は、実施例１〜６及び比較例１、２のスクリーン１０を２５ｍｍ×１５０ｍｍの大きさに切断したものである。ループスティフネス値は、試験片を東洋精機製作所製のループスティフネステスタ、ＤＡ型にセットして測定した。ここで、ループスティフネス値とは、ループ状にした試験片の潰れに対する抵抗の大きさを表す指標である。本実施の形態では、東洋精機製作所製のループスティフネステスタ、ＤＡ型を用いて、ループスティフネス値を測定した。【００７５】  図８は、ループスティフネス値を測定する様子を示す模式図である。ループスティフネステスタ、ＤＡ型は、主として、水平台６２とプレート６３とを有し、試験片６１は水平台６２とプレート６３との間に入れられる。ループスティフネステスタ、ＤＡ型は、試験片６１の直径（以下、ループ長という）を６０ｍｍになるようにした（図８実線参照）後、３．３ｍｍ／分の速度でプレート６３を下方向（圧縮方向）に押圧する。ループスティフネステスタ、ＤＡ型は、試験片６１の圧縮方向の距離Ｄが１０ｍｍになるまでプレート６３を押圧（図８点線参照）し、この時にプレート６３、すなわち試験片６１に加えた荷重Ｗを、ループスティフネス値として測定した。【００７６】＜測定結果＞（１）ゆがみの測定結果  表１は、実施例１〜５及び比較例１、２に対するゆがみ測定結果を示す。スクリーン５１の中央部（測定点２、測定点３及び測定点４に相当）においてゆがみが発生しなかった場合（ゆがみ測定値が０の場合）は、平面性を○（ここで、○は、○及び◎を含む）と評価した。平面性を○と評価したもののうち、特に平面性が高いもの、例えば各測定点におけるゆがみ測定値の絶対値が５以下と小さいものについて、平面性を◎と評価した。【００７７】
【表１】
2016084211.tif 000003
【００７８】  比較例１、２において、ゆがみが発生していないのは測定点３のみであり、それ以外の点（測定点１、測定点２、測定点４及び測定点５）はゆがみが発生した。これに対して、実施例１〜６は、測定点２、測定点３及び測定点４においてゆがみが発生しなかった。このことから、厚みｔ１が厚みｔ２の略２倍以下である場合には、スクリーン５１の中央部においてゆがみが発生せず、平面性が高いスクリーンが得られることがわかった。ここで中央部とは、測定点２〜４を含む範囲、すなわちスクリーン５１の略中央を含み、ｘ方向に±略２５８ｍｍの範囲である。【００７９】  実施例２、３、及び５は、測定点１及び測定点５のゆがみ測定値が−５であった。また、実施例４は、測定点１のゆがみ測定値が−５であり、測定点５のゆがみ測定値が０であった。−５ｍｍとは、使用状態（スクリーン５１からの距離が３０００ｍｍ。これは、スクリーン５１の高さの略３〜４倍に相当する。）においてゆがみが視認できない大きさであり、実施例２〜５は平面性に特に優れている。すなわち、厚みｔ１が厚みｔ２の半分より大きく、厚みｔ１が厚みｔ２以下である場合には、特に平面性が高いスクリーンが得られることがわかった。【００８０】  実施例１と実施例３とを比較すると、実施例１は実施例３よりも測定点１におけるゆがみが大きいことがわかる。これは、スクリーン５１を構成するウレタン樹脂シートが柔らかいためと考えられる。この場合、スクリーン５１の端部にゆがみが発生しやすくなる。以上のことから、スクリーン５１の裏面１２に印刷を行わない場合には、厚みｔ１は、厚みｔ２の３／４以上、かつ厚みｔ２以下とすることが望ましい。【００８１】  また、実施例１と実施例２との関係、及び実施例３と実施例４との関係について見てみると、裏面１２に格子状にインクを塗布することで、更に平面性が高くなることが分かった。また、前述したように、裏面１２に凹凸を形成する表面処理を行うことにより、ウレタン樹脂シートをベース３０に巻回して格納した際のウレタン樹脂シート、すなわちスクリーン１０同士のブロッキングを防止することができることも同時に確認できた。特に、実施例１は実施例３に比べて平面性が悪いのに対し、実施例２は実施例３と同様の平面性が得られた。これは、裏面１２に印刷を行うことにより、厚みｔ１がインクの厚みだけ厚くなり、ウレタン樹脂シートに硬さが加えられるためである。【００８２】（２）ゆがみの測定結果  表２は、実施例１〜５及び比較例１、２に対するループスティフネス測定結果を示す。剛性が高く、ループスティフネス試験機の測定限界を超えてしまうため、比較例２のループスティフネス値は、高さ１０ｍｍ、ループ長６０ｍｍの略円柱状となるように丸めた試験片を用いて測定を行った。ループスティフネス値は、その測定値を２．５（＝２５ｍｍ／１０ｍｍ）倍して、他の試験片と同様の条件（高さ２５ｍｍ、ループ長６０ｍｍ）で測定したものとみなして数値を換算したものである。【００８３】
【表２】
2016084211.tif 000004
【００８４】  表２より、実施例１〜６については、ループスティフネス値が３６９ｍＮ（ミリニュートン）以下であり、比較例１、２に対してループスティフネス値が小さいことが分かった。また、表２より、特に各測定点におけるゆがみ測定値が−５以下の場合には、ループスティフネス値が２２ｍＮ以上４２ｍＮ以下であることが分かった。【００８５】  本実施の形態によれば、樹脂シートであるスクリーンのプリズム部分以外の厚みｔ１がプリズム部分の厚みｔ２の略２倍以下である場合には、スクリーンの中央部においてゆがみが発生しない、平面性が高いスクリーンを得ることができる。【００８６】  例えば、樹脂シートの裏面に厚みが略同程度の別の樹脂シート（例えばＰＥＴ樹脂シート）が一体となっている場合には、スクリーンが硬く、スクリーンを展開した時にスクリーンにかかる張力が不均一となるため、スクリーン表面にゆがみが顕著に発生する（比較例２参照）。【００８７】  それに対し、樹脂シートの裏面に別の樹脂シートを設けず、樹脂シートだけでスクリーンを構成し、プリズム部分以外の厚みｔ１がプリズム部分の厚みｔ２の略２倍以下とすると、スクリーンを展開した時にスクリーンにかかる張力のばらつきが分散されるため、高い平面性を得ることができる。ただし、本実施の形態は、スクリーンの平面性に影響を与えなければ、スクリーンの裏面に薄いフィルム、シート等を設ける形態を除外するものではない。【００８８】  また、本実施の形態によれば、スクリーンの裏面全体に凹凸を形成することで、スクリーンを巻回したときにスクリーンの投影面と裏面とが密着して離れなくなるブロッキングを防止することができる。特に、スクリーンの裏面全体にインクを塗布して凹凸を形成する場合には、スクリーンに少しだけ硬さを加え、更に平面性を高くすることができる。【００８９】  なお、本実施の形態では、凹凸を形成する表面処理や、印刷によってスクリーンの裏面１２全体に凹凸を形成したが、凹凸の大きさ等は一定でなくてもよい。【００９０】  図９は、変形例に係るスクリーン１０Ａの裏面１２Ａに形成された格子状のリブを示す図である。スクリーン１０Ａにおいては、領域Ａ１に形成される格子の大きさは、領域Ａ１以外の領域Ａ２に形成される格子の大きさより大きい。本実施の形態では、領域Ａ１に形成される格子は、一マスが略１．０ｍｍ（隣接するリブ間の距離が略１．０ｍｍ）であり、領域Ａ２に形成される格子は、一マスが略０．５ｍｍ（隣接するリブ間の距離が略０．５ｍｍ）である。【００９１】  領域Ａ１は、スクリーン１０Ａの中央と、上下の辺１０ａ、１０ｂとを含む領域であり、領域Ａ２は、スクリーン１０Ａの左右の両端の辺１０ｃ、１０ｄを含む領域である。このように、領域Ａ１に印刷されるリブ１７の間隔を、領域Ａ２に印刷されるリブ１７の間隔より広くする（凹凸の密度（粗さ）を変える）ことで、領域Ａ１に塗布されるインク量よりも領域Ａ２に塗布されるインク量を増やすことができる。その結果、スクリーン１０Ａの辺１０ｃ、１０ｄがカールすること、スクリーン１０Ａにしわが発生すること等を防止し、スクリーン１０Ａの局所的なゆがみを防止することができる。【００９２】  領域Ａ１に塗布されるインク量よりも領域Ａ２に塗布されるインク量を増やす方法は、凹凸の密度を変える方法に限定されない。例えば、領域Ａ１における格子の大きさと、領域Ａ２における格子の大きさとを同じにし、領域Ａ１におけるリブ１７の高さより、領域Ａ２におけるリブ１７の高さを高くしてもよい。【００９３】  なお、領域Ａ１と、領域Ａ２とで凹凸を変える方法はこれに限られない。例えば、裏面を粗面化処理するときに、領域Ａ１の表面粗さを粗くし、領域Ａ２の表面粗さを細かくしてもよい。例えば、領域Ａ１における凹凸の平均間隔Ｓｍ（ＪＩＳ  Ｂ  ０６０１−２００１参照）を、領域Ａ２における凹凸の平均間隔Ｓｍより大きくすればよい。【００９４】  また、凹凸の大きさ、粗さ等を変える領域は、図９に示す場合に限られない。図１０は、スクリーン１０Ｂと、スカート２０との接続部分を含む領域Ａ３に形成される格子の大きさを、領域Ａ３以外の領域Ａ４に形成される格子の大きさより小さくする形態である。領域Ａ４は、スクリーン１０Ａの中央と、辺１０ａ、１０ｃ、１０ｄを含む領域である。【００９５】  また、図１１は、スクリーン１０Ｃのトップバー４１が設けられる部分を含む領域Ａ５に形成される格子の大きさを、領域Ａ５以外の領域Ａ６に形成される格子の大きさより小さくする形態である。領域Ａ６は、スクリーン１０Ａの中央と、辺１０ｂ、１０ｃ、及び１０ｄを含む領域である。【００９６】  なお、領域Ａ３及び領域Ａ５における凹凸の平均間隔Ｓｍを、領域Ａ４及び領域Ａ６における凹凸の平均間隔Ｓｍより小さくしてもよい。【００９７】  スクリーン１０、１０Ａ、１０Ｂ、１０Ｃでは、インクを格子状に塗布して（リブ１７により格子模様が形成される）凹凸を形成したが、インクを塗布して凹凸を形成する方法はこれに限られない。交差する複数の線を含む模様を描くようにインクを塗布するのであれば、リブ１７により形成される模様は、格子模様でもよいし、斜め格子模様でもよいし、ハニカム模様でもよいし、市松模様でもよいし、放射状の模様でもよい。すなわち、ベタ塗りなどの一様な印刷ではない模様であれば、印刷により形成される模様は特に限定されない。さらに、平行な複数の線を含む模様を描くようにインクを塗布してもよい。【００９８】  また、インクを塗布することで形成される線は、直線に限らず、波線でもよいし、曲線でもよい。また、線は、実線に限らず、破線でもよいし、一点鎖線でもよい。さらに、線の太さは、一定でもよいし、一定でなくてもよい。例えば、線によって太さを変えてもよいし、一本の線の太さを変化させてもよい。【００９９】  ただし、交差する複数の線を含む模様ではなく、平行な複数の線からなる模様を描くようにインクを塗布するのであれば、ブロッキング防止の観点より、スクリーンの巻き取り方向と直交する方向の波線とすることが望ましい。【０１００】  以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。【０１０１】  また、実施形態の構成の一部を他の実施形態の構成に置き換えることが可能であり、また、実施形態の構成に他の構成の追加、削除、置換等をすることが可能である。【０１０２】  また、本発明において、「略」とは、厳密に同一である場合のみでなく、同一性を失わない程度の誤差や変形を含む概念である。例えば、略平行、略直交とは、厳密に平行、直交する場合に限らず、同一性を失わない程度、例えば数度、数ミリ程度の誤差を含む概念である。例えば、略６０度は、６０度に±２〜３度程度の誤差を含む。また、略２５８ｍｍとは、２５８ｍｍに±２〜３ｍｍ程度の誤差を含む。【０１０３】〔本明細書が開示する発明〕  上記に詳述した発明の実施形態についての記載から把握されるとおり、本明細書は少なくとも以下に示す発明を含む多様な技術思想の開示を含んでいる。【０１０４】  本発明に係る反射型スクリーンは、例えば、斜めから入射する投射光を正面に反射する複数の傾斜部が形成された第１の面を備えたシート状の反射型スクリーンであって、前記傾斜部以外の厚みｔ１は、前記傾斜部の厚みｔ２の２倍以下であることを特徴とする。【０１０５】  この反射型スクリーンによれば、斜めから入射する投射光を正面に反射する複数の傾斜部以外の厚みｔ１は、傾斜部の厚みｔ２の２倍以下である。これにより、平面性が高いスクリーンを得ることができる。【０１０６】  また、本発明に係る反射型スクリーンは、例えば、斜めから入射する投射光を正面に反射する複数の傾斜部が形成された第１の面を備えたシート状の反射型スクリーンであって、前記反射型スクリーンの幅を略１５５０ｍｍ、高さを略９００ｍｍとし、鉛直下向きの引き下げ荷重が略３ｋｇとなるように前記反射型スクリーンを吊り下げた場合に、前記反射型スクリーンの中央を含み、前記反射型スクリーンの端部を含まない第１の領域においては、入射角度が略１５度で前記反射型スクリーンの略中央を通る基準線を前記第１の面に投影した場合と、入射角度が略６３度で前記基準線を前記第１の面に投影した場合とで、前記反射型スクリーンに表示される画像にずれが発生しないことを特徴とする。【０１０７】  この反射型スクリーンによれば、幅を略１５５０ｍｍ、高さを略９００ｍｍとし、鉛直下向きの引き下げ荷重が略３ｋｇとなるように反射型スクリーンを吊り下げた場合に、反射型スクリーンの中央を含み、反射型スクリーンの端部を含まない第１の領域においては、入射角度が略１５度で反射型スクリーンの略中央を通る基準線を第１の面に投影した場合と、入射角度が略６３度で基準線を第１の面に投影した場合とで、反射型スクリーンに表示される画像にずれが発生しない。これにより、平面性が高いスクリーンを得ることができる。【０１０８】  ここで、前記厚みｔ１は、前記厚みｔ２以下であってもよい。これにより、より平面性が高いスクリーンを得ることができる。【０１０９】  ここで、前記第１の面と反対側の面である第２の面全面に凹凸が形成されてもよい。これにより、スクリーンを巻回したときにスクリーンの投影面と裏面とが密着して離れなくなるブロッキングを防止することができる。【０１１０】  ここで、表面粗さＲａが０．１０以上程度であり、入射角が６０度の場合における表���光沢度が２０％以下程度となるように前記第２の面の全面に表面処理をすることで、前記第２の面全体に前記凹凸を形成してもよい。これにより、製造工程を増やすことなく、ブロッキングを防止することができる。【０１１１】  ここで、前記凹凸のうちの、前記反射型スクリーンの中央と、対向する２つの辺を含む第２の領域に形成される凹凸は、前記反射型スクリーンの前記第２の領域以外の領域である第３の領域に形成される凹凸よりも粗くてもよい。これにより、スクリーンの局所的なゆがみを防止することができる。【０１１２】  ここで、複数の線を含む模様を描くようにインクを塗布することで、前記第２の面全体に前記凹凸を形成してもよい。これにより、スクリーンを巻回したときにスクリーンの投影面と裏面とが密着して離れなくなるブロッキングを防止することができる。また、スクリーンに少しだけ硬さを加え、更に平面性を高くすることができる。【０１１３】  ここで、前記複数の線のうちの、前記反射型スクリーンの中央と、対向する２つの辺を含む第２の領域に形成される線の間隔を、前記反射型スクリーンの前記第２の領域以外の領域である第３の領域に形成される線の間隔より広くしてもよい。これにより、スクリーンの局所的なゆがみを防止することができる。
【符号の説明】
【０１１４】１：反射型スクリーン、１０、１０Ａ、１０Ｂ、１０Ｃ：スクリーン、１０ａ、１０ｂ：辺、１１：投影面、１２、１２Ａ：裏面、１３：投射側傾斜面、１４：非投射側傾斜面、１５：白色樹脂層、１６：スクリーン基準面、１７、１７ａ、１７ｂ：リブ、２０：スカート、３０：ベース、４０：ポール、４１：トップバー、５０：実験用スクリーン、５１：スクリーン、５２、５３：棒材、５４：スタンド、５５：白色平板、６１：試験片、６２：水平台、６３：プレート、１００：反射型スクリーン、１１０：長焦点プロジェクタ、１２０：短焦点プロジェクタ
【図１】
2016084211.tif 000005
【図２】
2016084211.tif 000006
【図３】
2016084211.tif 000007
【図４】
2016084211.tif 000008
【図５】
2016084211.tif 000009
【図６】
2016084211.tif 000010
【図７】
2016084211.tif 000011
【図８】
2016084211.tif 000012
【図９】
2016084211.tif 000013
【図１０】
2016084211.tif 000014
【図１１】
2016084211.tif 000015
【図１２】
2016084211.tif 000016
【図１３】
2016084211.tif 000017
【図１４】
2016084211.tif 000018
【図１５】
2016084211.tif 000019
【図１６】
2016084211.tif 000020
【図１７】
2016084211.tif 000021
【図１８】
2016084211.tif 000022
【図１９】
2016084211.tif 000023
【図２０】
2016084211.tif 000024
【国際調査報告】
2016084211.tif 000025
2016084211.tif 000026
2016084211.tif 000027
2016084211.tif 000028
2016084211.tif 000029
2016084211.tif 000030
2016084211.tif 000031